(57)【特許請求の範囲】
【請求項１】
表示部に調整用ＯＳＤを表示させるＯＳＤ処理部と、
前記表示部に表示される前記調整用ＯＳＤを読み取るセンサを接続するためのインターフェース部と、
前記インターフェース部から入力された前記センサの出力信号に基づいた領域の識別として、前記表示部の表示から選択された前記調整用ＯＳＤが表示されている領域を識別し、該領域に応じて定められる処理にしたがって、前記表示部の設定調整を行う制御手段とを備え、
前記制御手段は、
前記調整用ＯＳＤにおける複数の選択肢に対応する複数の前記領域に、該領域を判別できるように、該領域ごとに異なる表示の前記調整用ＯＳＤがそれぞれ表示されており、前記調整用ＯＳＤが表示されている領域の表示を検出した前記センサの出力信号に基づく輝度情報又は色情報と、定められた閾値であって、前記選択肢の数に応じて設けられた閾値とを比較した結果により、前記選択された調整用ＯＳＤが表示されている領域を識別する
ことを特徴とする表示装置。
【請求項２】
請求項１に記載の表示装置であって、
前記調整用ＯＳＤは前記インターフェース部への前記センサの接続に応答して前記表示部に表示される
ことを特徴とする表示装置。
【請求項３】
請求項１に記載の表示装置であって、
前記調整用ＯＳＤは前記インターフェース部からの前記センサの脱離に応答して前記表示部に非表示となる
ことを特徴とする表示装置。
【請求項４】
請求項１乃至請求項３のいずれかに記載の表示装置であって、
前記表示部において前記調整用ＯＳＤは時間的に変化して表示される
ことを特徴とする表示装置。
【請求項５】
請求項１乃至請求項４のいずれかに記載の表示装置であって、
前記表示部において前記調整用ＯＳＤは前記センサが読み取る複数のパラメータを同時に表示する
ことを特徴とする表示装置。
【請求項６】
請求項１乃至請求項５のいずれかに記載の表示装置であって、
前記調整用ＯＳＤは、
前記センサが識別可能な領域を備え、該領域内の表示に対応する情報に基づいて、択一的な選択を可能とする
ことを特徴とする表示装置。
【発明の詳細な説明】
【技術分野】
【０００１】
本発明は、表示装置および検査システムに関し、特に、ＯＳＤ（On Screen Display：オンスクリーンディスプレイ）を用いた設定調整又は検査に関する。
【背景技術】
【０００２】
従来から、モニタ等の表示装置においては、画面上に表示されたＯＳＤをユーザが操作することにより、輝度等の設定の調整を行っている。この操作は、表示装置下部等に設置されたボタンを押下したり、あるいはリモートコマンダーを用いることにより行われる。
【０００３】
例えば、特許文献１には、ＯＳＤをリモートコマンダーを用いて操作することにより設定を調整する表示装置の例が開示されている。
【０００４】
【特許文献１】特開平０７−３２２１６２号公報
【発明の開示】
【発明が解決しようとする課題】
【０００５】
近年は、モニタ等の表示装置のデザインが重視されてきているが、表示装置にボタンを設置すると、表示装置のデザインが制約される場合があるという問題点があった。
【０００６】
また、特許文献１に示される表示装置においては、リモートコマンダー上に配置されたボタンを押下することにより操作が行われる。そのため、操作が煩雑になってしまうという問題点があった。
【０００７】
本発明は以上の問題点を解決するためになされたものであり、デザインの自由度を高めつつ簡易な操作で設定を調整できる表示装置および検査システムを提供することを目的とする。
【課題を解決するための手段】
【０００８】
上記の課題を解決すべく、本発明に係る表示装置は、表示部に調整用ＯＳＤを表示させるＯＳＤ処理部と、表示部に表示される調整用ＯＳＤを読み取るセンサを接続するためのインターフェース部と、前記インターフェース部から入力された前記センサの出力信号に基づいた領域の識別として、前記表示部に表示された画像から選択された前記調整用ＯＳＤが表示されている領域を識別し、該領域に応じて定められる処理にしたがって、前記表示部の設定調整を行う制御手段とを備え、前記制御手段は、前記調整用ＯＳＤにおける複数の選択肢に対応する複数の前記領域に、該領域を判別できるように、該領域ごとに異なる表示の前記調整用ＯＳＤがそれぞれ表示されており、前記調整用ＯＳＤが表示されている領域の表示を検出した前記センサの出力信号に基づく輝度情報又は色情報と、定められた閾値であって、前記選択肢の数に応じて設けられた閾値とを比較した結果により、前記選択された調整用ＯＳＤが表示されている領域を識別することを特徴とする。
【発明の効果】
【０００９】
本発明に係る表示装置は、表示部に調整用ＯＳＤを表示させるＯＳＤ処理部と、表示部に表示される調整用ＯＳＤを読み取るセンサを接続するためのインターフェース部と、インターフェース部から入力されたセンサの出力信号に基づき表示部の設定調整を行う制御手段とを備えることを特徴とするので、調整用ＯＳＤによる設定調整がボタンではなくセンサを用いて行われる。従って表示装置にユーザ操作用のボタンを設置する必要がないので、デザインの自由度を高めつつ簡易な操作で設定を調整できる。
【発明を実施するための最良の形態】
【００１０】
＜実施の形態１＞
図１は、実施の形態１に係る表示装置１００を示す構成図である。
【００１１】
図１に示すように、表示装置１００は、画像信号処理部１と、表示部２と、コネクタ３と、制御部４と、ＯＳＤ処理部５とを備える。また、表示装置１００は、コンピュータ等の画像信号源２００とセンサ３００とに接続されている。
【００１２】
画像信号源２００から表示装置１００に入力された画像信号は、画像信号処理部１において処理された後に、表示部２において画像として表示される。また、この画像上には、ＯＳＤ処理部５により、輝度等の設定の調整用ＯＳＤが重ねて表示される。
【００１３】
表示部２における表示内容は、後述するようなユーザ操作により、センサ３００に読み取られる。センサ３００の出力信号は、コネクタ３から表示装置１００に入力される。即ち、コネクタ３は、センサを接続するためのインターフェース部として機能している。
【００１４】
コネクタ３から入力されたセンサ３００の出力信号は、制御部４に入力される。制御部４は、入力された信号に基づき、センサ３００の読み取り内容を識別し、画像信号処理部１及びＯＳＤ処理部５を制御し、画像表示部２における輝度等の設定調整を行う。
【００１５】
図２に、表示装置１００におけるＯＳＤ６の表示、及び表示装置１００とセンサ３００との接続を示す。調整用のＯＳＤ６は、表示装置１００前面に配置された表示部２において、表示された画像上の一部の領域に重ねて表示されている。また、表示装置１００とセンサ３００とは、ケーブル７により接続されている。
【００１６】
図３（ａ）に、輝度（コントラスト）調整のためのＯＳＤ６の一例を示す。ＯＳＤ６は、ユーザにより選択されるべき複数の選択肢（ここでは、コントラストを上げるか下げるかの二つ）が表示されている。即ち、現在の輝度よりも高い輝度を有し輝度を上げる選択肢に対応する領域８と現在の輝度よりも低い輝度を有し輝度を下げる選択肢に対応する領域９とが表示されている。
【００１７】
次に、図１〜３を用いて、ユーザ操作による輝度調整の手順を説明する。
【００１８】
まず、図２に示すように、ユーザは、センサ３００に接続されたケーブル７を、表示装置１００のコネクタ３に接続する。このとき、図１において、制御部４は、コネクタ３を介してセンサ３００が接続されたことを検知し、画像信号処理部１及びＯＳＤ処理部５を制御することにより、図２に示されるように、ＯＳＤ６を表示部２の画像上に重ねて表示させる。
【００１９】
次に、ユーザは、図３（ａ）のように表示されたＯＳＤ６において、選択肢の一つを選択する。例えば、輝度を上げる場合には、表示部２の領域８にセンサ３００を接触させる。センサ３００からの出力信号は、コネクタ３を介して、図１に示される制御部４に入力される。制御部４は、入力された信号により検知される輝度を所定の閾値と比較することにより、領域８が選択されたことを識別する。そして、画像信号処理部１及びＯＳＤ処理部５を制御することにより、表示部２の輝度を上げる。これにより、ユーザ操作による表示装置１００の輝度調整が行われる。さらにコネクタ３を介してセンサ３００が外されたことを検知すると、図２，３（ａ）に示されるＯＳＤ６を表示部２から消去する。
【００２０】
ここで、上記の選択肢は、二つに限らず、三つ以上であってもよい。例えば、上記の閾値をＮ個設定しておくことにより、Ｎ＋１個の選択肢を設定することが可能となる。
【００２１】
また、領域８，９における輝度等の選択肢表示は、時間的に変化してもよい。選択肢を時間的に変化させることにより、ＯＳＤ６を表示するスペースが小さい場合においても、表示部２上で多くの選択肢を表示することができる。あるいは、一つの閾値のみが設定されている場合においても、各領域の輝度等を時間的に変化させることにより、それらを組み合わせて複数の選択肢を設けることが可能となる。
【００２２】
また、この選択肢は、輝度に限らず、表示装置１００の設定に関するものであればよい。例えば、図３（ｂ）に示されるような画面位置（ポジション）や、サイズ等、どのような調整項目であってもよい。調整項目が複数存在する場合には、図３（ｃ）に示すような複数の調整項目が表示されたＯＳＤにおいて、予めユーザがセンサ３００を用いて一つを選択してもよい。
【００２３】
また、センサ３００が測定するパラメータとしては、輝度に限らず、例えば、Ｒ，Ｇ，Ｂの色を測定するセンサを用いてもよい。輝度や色等の複数のパラメータを同時にパラレルデータとして表示することにより、複数の選択肢を設けることが可能となる。あるいは、輝度や色ではなく、フリッカーの間隔でも良い。さらに、画像の形状や文字等を認識できるようなセンサ３００を用いてもよい。
【００２４】
また、センサ３００としては、非接触検知が可能なものを用いてもよい。これにより、遠隔操作が可能となるので、表示装置１００の設置場所の自由度を高めることができる。
【００２５】
また、センサ３００としては、一般的に用いられる既存のセンサを用いてよい。既存のセンサを用いることにより、コストを低減することが可能となる。
【００２６】
また、図４に示すように、ケーブル７に代えて、赤外線や電波等を用いた無線回線１０を用いてもよい。この場合、表示装置１００は、コネクタ３に代えて、赤外線等を受信するための受光部１１を備え、センサ３００の電源オンをトリガーとしてＯＳＤ６が表示部２に表示される。これにより、ケーブル７を不要とすることができるので、センサ３００の操作性を高めることができる。
【００２７】
このように、本実施の形態に係る表示装置１００においては、ＯＳＤ６による設定調整が、ボタンではなくセンサ３００を用いて行われるので、表示装置１００にボタンを設置する必要がない。従って、デザインの自由度を高めつつ簡易な操作で設定を調整できる。
【００２８】
＜実施の形態２＞
実施の形態１においては、出荷後のユーザ操作による設定調整について説明したが、実施の形態２においては、出荷前の製造ラインにおいて品質等を検査するシステムについて説明する。
【００２９】
図５は、実施の形態２に係る表示装置１０１を示す構成図である。
【００３０】
図５においては、ユーザにより操作される図１のセンサ３００に代えて、製造ライン上で自動操作される据え置き型等のセンサ３０１が用いられる。センサ３０１からの出力信号は、表示装置１０１に入力されるのではなく、表示装置１０１外部に設置されたコンピュータ等からなる検査手段である検査装置４００に入力される。従って、表示装置１０１は、図１に示される表示装置１００のようにセンサ接続用のコネクタ３を内蔵する必要はない。表示装置１０１は、コネクタ３以外の要素については、表示装置１００と同様の要素を備えている。図５において、図１と同様の要素については同一の符号を付してしてあるので、それらのここでの詳細な説明は省略する。また、以下の動作説明においても、実施の形態１と同様の動作については、詳細な説明は省略する。
【００３１】
図５において、制御部４は、予め記憶された表示装置の検査プログラムに従い、画像処理部１及びＯＳＤ処理部５を制御し、表示部２上にＯＳＤ６を表示させる。センサ３０１からの出力信号は、検査装置４００に入力される。検査装置４００は、入力された信号によりＯＳＤ６の輝度等を自動で検知する。そして、予め記憶された検査装置の検査プログラムに従い、この信号の正常性を確認する。これにより、表示装置１０１及び検査装置４００に予め記憶された検査プログラムに従い、製造ライン上において表示装置１０１の自動検査を行うことが可能となる。
【００３２】
このように、本実施の形態に係る検査システムにおいては、予め記憶された検査プログラムに従い表示部２上に表示されるＯＳＤ６をセンサ３０１で検知することにより検査が行われる。従って、製造ライン上における表示装置１０１の自動検査が可能となる。
【００３３】
なお、上述の説明においては、表示部２上に表示されたＯＳＤ６の輝度等を検知することにより自動検査を行うが、ＯＳＤ６に限らず、予め記憶された検査プログラムに従い表示部２上に表示されるものであればよい。例えば、図６に示される表示装置１０２のように、画像信号源２００から入力される画像信号を表示部２において表示し、（ＯＳＤ６が重ね表示されていない）画像そのものをセンサ３０１により読み取ってもよい。この場合、表示装置１０２は、図５に示される表示装置１０１のようにＯＳＤ処理部５を有する必要はない。また、検査プログラムは、制御部４においてではなく、画像信号源２００において動作するものであってもよい。
【００３４】
従来、画像信号源２００としてビデオ機器やテレビ機器等を用いた場合には、画像信号源２００からの画像信号を直接に検査装置４００に入力させ検査することは困難であったが、画像信号を、表示装置１０２において画像として表示させセンサ３０１で読み込むことにより、検査装置４００における検査を容易に行うことができる。また、実施の形態１において前述したような非接触検知が可能なセンサを用いることにより、クリーンルーム等のように人の入り難い環境においても、容易に検査を行うことが可能となる。
【図面の簡単な説明】
【００３５】
【図１】実施の形態１に係る表示装置を示す構成図である。
【図２】実施の形態１に係る表示装置とセンサとの接続を示す図である。
【図３】実施の形態１に係る表示装置におけるＯＳＤ表示を示す図である。
【図４】実施の形態２に係る表示装置とセンサとの接続を示す図である。
【図５】実施の形態３に係る表示装置を示す構成図である。
【図６】実施の形態４に係る表示装置を示す構成図である。
【符号の説明】
【００３６】
１  コネクタ、２  制御部、３  画像信号処理部、４  ＯＳＤ処理部、５  表示部、６  ＯＳＤ、７  ケーブル、８，９  領域、１０  無線回線、１１  受光部、１００〜１０２  表示装置、２００  画像信号源、３００，３０１  センサ、４００  検査装置。
【図１】
0004669664.tif 000002
【図２】
0004669664.tif 000003
【図３】
0004669664.tif 000004
【図４】
0004669664.tif 000005
【図５】
0004669664.tif 000006
【図６】
0004669664.tif 000007